(57)【要約】医療従業者及びセンシティブな環境での他の労働者によって広く用いられる型のペン形モジュール(10)は、対向して間隔を置いた関係で配置される2つの分離したポケットクリップ(16、18)を備えている。各クリップと関連したマーキング(15、17)は、一方のクリップを「オン」と、他方のクリップを「オフ」として、明らかに識別する。クリップのうちの少なくとも1つは、「オン」クリップが装着者の衣服の生地(19)に固定されると、電子モジュールが作動するように、即ち、前記モジュールが「オン」にされるように、電気的スイッチング機能を実行する。別の場合には、「オフ」クリップが装着者の衣服に取り付けられると、モジュールの電子部品は停止する、即ち、モジュールはオフにされる。
2005506674.tif 000002
【特許請求の範囲】
【請求項１】
ペン型電子モジュールにおいて、
−メインボディ構造と、
−前記メインボディ構造上の対向して間隔を置いた位置に配置されると共にそれぞれが自由端及び固定端を有する第1のポケットクリップ及び第2のポケットクリップであって、
前記各ポケットクリップの前記固定端は前記メインボディ構造に取り付けられており、前記自由端は前記メインボディ構造と弾性的にバイアスされて接触され、
前記各ポケットクリップの前記自由端は、前記メインボディ構造と接触する第1の位置から、前記メインボディ構造との接触から分離された第2の位置に弾性的に移動可能である、第1のポケットクリップ及び第2のポケットクリップと、
−前記ポケットクリップのうちの少なくとも一方と関連したオン／オフ電気的スイッチ手段であって、
当該電気的スイッチ手段は、前記ポケットクリップのうちの前記関連した一方の前記自由端の前記第1の位置と前記第2の位置との間の移動に応じてオン状態とオフ状態との間でスイッチするように稼動可能である、オン／オフ電気的スイッチ手段と、
を有するペン型電子モジュール。
【請求項２】
請求項1に記載のペン型電子モジュールにおいて、前記オン／オフ電気的スイッチ手段は、第1の電気的接触面を前記ポケットクリップのうちの前記一方の前記自由端に有し、第2の電気的接触面を前記メインボディ構造上に有し、
前記第1の及び第2の電気的接触面は、前記ポケットクリップのうちの前記一方の前記自由端が前記第1の位置にあるときに互いに電気的に接触する、ペン型電子モジュール。
【請求項３】
請求項2に記載のペン型電子モジュールにおいて、更に、前記関連したポケットクリップの使用に対応する前記モジュールの前記状態を識別する、前記ポケットクリップの各々と関連した目に見えるしるしを有するペン型電子モジュール。
【請求項４】
請求項1に記載のペン型電子モジュールにおいて、前記オン／オフ電気的スイッチ手段は、常時閉レバー動作電気スイッチを有し、該常時閉レバー動作電気スイッチは、当該閉状態に弾性的にバイアスするレバーアクチュエータアームを有し、前記電気的スイッチは前記メインボディ構造に取り付けられており、前記クリップの前記固定端は、前記クリップの前記自由端を前記ボディ構造に対して前記第1の位置にバイアスするために前記レバーアクチュエータアームに取り付けられている、ペン型電子モジュール。
【請求項５】
請求項1に記載のペン型電子モジュールにおいて、前記オン／オフスイッチ手段は、前記ポケットクリップのうちの前記一方の前記自由端が前記第1の位置にあるときは常時閉であり、前記スイッチ手段が常時閉であると前記電子モジュールはオフにされる、ペン型電子モジュール。
【請求項６】
両面ペンモジュールセンサを用いた人の周囲条件の効果的な検出のための方法であって、前記センサは当該センサをオン及びオフ状態間でスイッチ可能である位置応答衣類クリップを有する、方法において、
一方の面に「オン」を、他方の面に「オフ」を表示する目に見えるしるしで前記両面ペンモジュールセンサをマークするステップと、
前記「オン」のしるしが前記人から離れて露出されている場合に前記オン状態に対応する前記クリップ位置で前記人の衣類に前記衣類クリップを留めるステップと、
を有する方法。
【発明の詳細な説明】
【技術分野】
【０００１】
本発明は、一般には、医療従業者によって一般的に装着される型のペン型電子モジュールに関し、より詳細には、装着者の衣服に特定の配置で取り付けることにより自動的に「オン」又は「オフ」にされるこの型のモジュールに関する。
【背景技術】
【０００２】
ペン型電子モジュールは、1990年代に、危険な又はその他センシティブな環境にさらされる医療従業者及びその他の労働者によって比較的広く使われるようになった。これらモジュールは、実質的には、重大な周囲の環境条件(温度、大気汚染、放射レベル等)について警告するために労働者によって装着される小型化された環境センサである。現在までに用いられている全てのモジュールは、一般的に、モジュールを「オン」及び「オフ」にするのに、即ち、モジュールの動作を作動又は停止させるのに、電気的スイッチデバイスの手動操作に依存する。
【発明の開示】
【発明が解決しようとする課題】
【０００３】
このようなモジュールのユーザは、多くの場合に、種々の理由のために、モジュールを自身の衣服に取り付けるときに該モジュールを作動させる必要性を見落とし、これにより、自分自身、並びにその監督者及び他の影響される従業員は、モジュールにより意図される保護が受けられないことになる。あるいは、多くのユーザは、装着期間の終了後自身の衣服からモジュールを取り外すときに該モジュールをオフにするのを忘れ、これにより、バッテリを消費させる及び／又は該モジュールを次回の使用の際に動作不能にする。
【課題を解決するための手段】
【０００４】
本発明は、2つの位置のうちの何れか一方で装着者の衣服に取り付けることができるモジュールを提供することにより、ペン型モジュールのこれらの既存の問題に対処してこれらを解消する。一方の位置では、モジュールはオフ状態のままであり、他方の位置では、モジュールの電子回路が自動的にオンにされる。
【０００５】
本発明の開示された実施例において、モジュールの装置は、モジュールを装着者／ユーザの衣服の2つの異なった位置の何れか一方に固定するための2つの異なったポケット又は衣服クリップ要素を含む。クリップの少なくとも1つと関連する電気的スイッチ手段は、該クリップが用いられるときにモジュールをオンにし、他方のクリップが用いられるときにモジュールは自動的にオフにされる。目に見えるしるし、例えば「オン」及び「オフ」サインが、各クリップと関連しており、モジュールのその時点での状態の明白な表示を提供する。
【０００６】
モジュールの回路は、スイッチが開かれるまでモジュールを「オフ」状態に維持する常時閉スイッチを組み込んでおり、スイッチと関連した回路を開くことはモジュールを自動的に「オン」にし、該モジュールをその意図された目的のために動作させる。スイッチは、「オン／オフ」回路の導体として、弾性ポケットクリップ要素を組み込んでおり、クリップは、モジュールのメインボディ上の対向する伝導性表面と弾性的に係合し、回路を完結する。装着者の衣服の生地の一部、例えば、モジュールを受けるポケットの縁が、クリップと対向する伝導性表面との間に挿入されると、回路は遮断され、モジュールはオンにされる。好適には、このクリップは、モジュールを受けるポケットの外側に目に見えるように配置されてモジュールが「オン」状態にあることを示す、プリントされたしるしと関連していてもよい。代わりに、モジュールが2つのポケットクリップの内の他方を用いて衣服ポケットに係合される場合、「オン／オフ」回路は遮断されず、モジュールは「オフ」状態のままである。同様に、この第2のクリップと関連したプリントしるしは、モジュールの「オフ」状態を示すことと関連していてもよい。
【発明を実施するための最良の形態】
【０００７】
本発明のこれらの及び他の特徴及び利点は、添付の図面と併せて考慮される以下の説明を参照して当業者にはより明らかになるであろう。
【０００８】
以下の説明においては、制限ではなく説明のために、特定のアーキテクチャ、インタフェース、技術等の具体的詳細が、本発明の完全な理解を与えるために示される。単純性及び明快さのために、周知の装置、回路及び方法の詳細な説明は、不必要な細部により本発明の説明を不明瞭にしないために省略される。
【０００９】
ここで図面をより詳細に参照する。本発明のペン型モジュール10は、インジケータ又はセンサ部分14、及び、対向して間隔を置いた位置に配置される一対の弾性ポケットクリップ要素16、18を持つメインボディ構造12を有する。本実施例において、クリップ要素16、18の対向する位置は、メインボディ構造12の反対側にある。従来型のポケットペンに用いられる従来型のポケットクリップの構造に従って、各クリップ16、18は、固定端20及び自由端22を有する。
【００１０】
各クリップの固定端20は、直接、又はセンサ部分14を通じて間接的に、メインボディ構造12に取り付けられる。各クリップ16、18の自由端22は、衣服生地の部分19等の平面材料をしっかりとではあるが着脱自在に自由端22とボディ構造12の表面との間に把持するように、メインボディ構造12の表面に対して弾性的にバイアスされる。この目的のために、クリップ16、18は、自由端22がクリップ構造の弾力性によってボディ12の表面に対してバイアスされるように、固定端20がボディ12にしっかりと取り付けられた、弾性的に可撓性の材料でできていてもよい。代替的に、クリップ16、18はより剛性の材料でできていてもよく、固定端20が、ボディ12への自由端22の所望の弾性バイアスを達成するためにボディ12に弾性的に結合されていてもよい。
【００１１】
本発明によれば、クリップ16、18のうちの少なくとも1つの弾性的可撓性材料は電気伝導性であり、当該クリップの自由端22が係合したボディ12の表面の少なくとも一部24もまた電気伝導性である。示された実施例において、伝導部分24とクリップ18とが互いに接触しているときにこれらの間に連続的な電気経路が確立されるように、クリップ18は伝導性であるように作製される。更に本発明に従えば、クリップ18は、ボディ12から電気的に絶縁されるようにボディ12に取り付けられ、従って、ボディ12とクリップ18との間の電気的接触は、自由端22と伝導性の表面部分24との接合点においてのみである。伝導性の表面部分24及びクリップ18の自由端22は、これらの間に衣服生地の一部等の電気絶縁障壁が配置されると、互いとの電気接触から切り離される。当業者には、クリップ18を用いて関連したペンモジュールを装着者の衣服に固定するプロセスにおいて、関連したペンモジュールを装着者の衣服に固定するために、衣服生地の一部が自由端22とボディ12の伝導性部分24との間に挿入されることが、理解されるであろう。
【００１２】
更に、本発明によれば、モジュールの内部電子機器構造は、あらゆる従来どおりの態様で設定され、そのため、クリップ18の自由端22との接触面24の電気的係合によって作製される連続的な電気回路は、モジュールの電子機器機能を「オフ」状態に維持する、即ち、モジュールは動作モードにない。従って、接点24及び自由端20を通じる電気経路が、これらの間への衣服生地の一部の挿入によって遮断されると、モジュールの状態は、「オン」状態に「スイッチ」する。このように、モジュール10の自動オン／オフ動作が達成される。モジュールは、クリップ18が生地の一部に取り付けられていないため接点24及びクリップ18を通じる回路経路が完結しているときには「オフ」状態に維持され、モジュールは、クリップ18が、対向する把持／接触面間に係合された生地の一部と用いられているため回路経路が遮断されているときに、自動的に「オン」状態にスイッチされる。
【００１３】
本発明の別の実施例が図5に示される。ここで、クリップ18の固定端20は、ボディ12に固定的に取り付けられているのではなく、ボディ12に取り付けられた従来型の常時閉レバー動作電気スイッチ26のレバーアクチュエータアーム28に結合される。本実施例において、スイッチ26の従来型の弾性開閉機構は、クリップ18の自由端22をボディ12と把持係合させる弾性バイアス手段として働く。衣服生地の一部を自由端22とボディ12の表面との間に挿入することによって生じるクリップ18の移動は、スイッチ26を作動させ、その状態を「閉」から「開」に変更し、これにより、スイッチにより制御される回路を遮断する。このように、スイッチ26は、図4の実施例のクリップ18及び接点24によって形成される電気経路と同じ態様且つ同じ目的で動作する。具体的には、生地の一部を自由端22とボディ12との間に挿入して生地を把持して、モジュール10を装着者の衣服に固定することにより、クリップ18は移動し、クリップが取り付けられたスイッチ26を開け、これにより、スイッチに結合された回路を遮断させてモジュールの状態を「オフ」から「オン」に変更する。
【００１４】
本発明の使用を更に容易にするために、クリップ16、18は、好適には図2の参照数字15において示されたような目に見えるしるし15と共に用いられ、対応するクリップに関連する機能を識別する。例に過ぎないが、単語「オン」及び「オフ」は、図3の参照数字15及び17によって識別されるように、各クリップに直接又はその近くに目立つ書体でプリントされてもよい。これにより、潜在的ユーザは、該モジュールが装着者の衣服に取り付けられているときに所望の機能を実行するようにモジュールを如何に配置するかを容易に決定することができ、外部の観察者は、モジュールが他人によって適切な態様で機能するように適切な配置で装着されているかを同様に決定できる。
【００１５】
ここで、当業者には、本発明の装着型モジュールが、手動スイッチの操作又は位置調整なしに装着者の衣服に取り付けられる際に容易に且つ自動的にオン又はオフにされるように容易に機能し、該モジュールが装着されている限り、手動のスイッチの不注意による動作に対する懸念なしに適切な機能モードに留まることは明らかであろう。
【００１６】
開示された実施例は、所望の電気的スイッチング機能を達成するために、ほぼ全ての衣類の電気絶縁的、即ち非伝導的、性質に依存する。即ち、「オン」クリップは、モジュールのメインボディとの安定した電気接触を有し、該ボディとの連続的電気回路を形成し、連続的な回路は、モジュールを「オフ」状態に維持する。衣服生地がクリップとメインボディとの間に挿入されてクリップが装着者の衣服に取り付けられると、連続的な回路は「遮断」され、モジュールは「オン」にされる。従って、モジュールが「オン」クリップを用いて衣服のポケットに挿入されると、モジュールは、「オン」にされ、モジュールの「オン」ラベルは、好適には装着者及び／又は外部の観察者に明確に見える。装着者のポケットにおいてモジュールが「オフ」クリップを用いて逆転されてモジュールを衣服に取り付けられると、「オン」クリップは、元の位置に戻ってモジュールをオフにし、「オフ」ラベルが明らかに表示される。
【００１７】
本発明の好適な実施例が図示させれ説明されたが、当業者が、添付の請求項に記載された本発明の精神及び範囲から実質的に逸脱することなく本発明の種々の他の形式及び実施例を容易に思い浮かべることができることは、当業者には明らかであろう。
【図面の簡単な説明】
【００１８】
【図１】ペン型モジュールが本発明に従って如何に用いられることができるかを示す図表現である。
【図２】本発明によるペンモジュールの前面平面図である。
【図３】図2のペンモジュールの側面図である。
【図４】図2のペンモジュールの部分的な側面図である。
【図５】本発明の変更された実施例の部分的な側面図である。
【国際公開パンフレット】
2005506674.tif 000003
2005506674.tif 000004
2005506674.tif 000005
2005506674.tif 000006
2005506674.tif 000007
2005506674.tif 000008
2005506674.tif 000009
2005506674.tif 000010
2005506674.tif 000011
2005506674.tif 000012
2005506674.tif 000013
【国際公開パンフレット（コレクトバージョン）】
2005506674.tif 000014
【国際調査報告】
2005506674.tif 000015
2005506674.tif 000016
2005506674.tif 000017